(57)【特許請求の範囲】
【請求項１】
電球ケース本体（１）、透光マスク（２）、検知装置（３）及び遮光筒（４）からなり、透光マスク（２）は電球ケース本体（１）の頂部に固定され、遮光筒（４）の下端は電球ケース本体（１）に固定され、遮光筒（４）の上端は上向きに透光マスク（２）まで延在し、検知装置（３）は遮光筒中央部の内腔に設置された遮光構造を具備するＬＥＤ電球であって、
遮光筒（４）中央部の内腔に設置された灯光シールド部材（８）をさらに備え、灯光シールド部材（８）の周囲に、透光マスク（２）から遮光筒（４）内に屈折した光を遮断するための遮断部（９）が設けられ、検知装置（３）が灯光シールド部材（８）の中心部に設置されたことを特徴とする遮光構造を具備するＬＥＤ電球。
【請求項２】
前記灯光シールド部材（８）は遮光筒（４）の中央上部に嵌設され、遮断部（９）の上端の周縁は遮光筒（４）の上端の周縁より高いか同等か、又は低いことを特徴とする請求項１に記載の遮光構造を具備するＬＥＤ電球。
【請求項３】
前記灯光シールド部材（８）の中心部は中空部（１０）として設けられ、中空部（１０）は円形状の面となっており、中空部（１０）の上端の幅は下端の幅より大きく、中空部（１０）の幅は上端から下端へ漸次収縮して小さくなっていることを特徴とする請求項２に記載の遮光構造を具備するＬＥＤ電球。
【請求項４】
前記中空部（１０）の横方向断面において、円形状の面の内周縁のラインと垂直線との夾角は透光マスク（２）から遮光筒（４）内に屈折した光と垂直線との夾角より大きいことを特徴とする請求項３に記載の遮光構造を具備するＬＥＤ電球。
【請求項５】
前記検知装置（３）は中空部（１０）の底部に設置されたことを特徴とする請求項４に記載の遮光構造を具備するＬＥＤ電球。
【請求項６】
前記ＬＥＤ電球は若干のＬＥＤダイスが設けられたＬＥＤ回路基板をさらに備え、ＬＥＤ回路基板は電球ケース本体（１）の頂部に固定され、前記遮光筒（４）の下端は電球ケース本体（１）に係止接続され、遮光筒（４）の頂部は集光レンズ（５）を係止接続し、遮光筒（４）は円筒形であることを特徴とする請求項１〜４のいずれか１項に記載の遮光構造を具備するＬＥＤ電球。
【請求項７】
前記透光マスク（２）には貫通孔が開設され、遮光筒（４）の上端は上向きに透光マスク（２）の貫通孔に挿入され、遮光筒（４）の上端の周縁と透光マスク（２）の貫通孔の上端の周縁とはフラットに揃っており、或いは遮光筒（４）の上端の周縁は上向きに透光マスク（２）の貫通孔の上端の周縁を超えることを特徴とする請求項６に記載の遮光構造を具備するＬＥＤ電球。
【請求項８】
前記電球ケース本体（１）は放熱器（６）と口金部（７）からなり、口金部（７）は放熱器（６）の下端に固定され、透光マスク（２）、検知装置（３）及び遮光筒（４）はそれぞれ放熱器（６）の頂部に固定されることを特徴とする請求項７に記載の遮光構造を具備するＬＥＤ電球。
【請求項９】
前記検知装置は赤外線検知装置（３）、マイクロ波検知装置（３）、光線検知装置（３）のうちの１つ又は２つを設けることを特徴とする請求項８に記載の遮光構造を具備するＬＥＤ電球。
【発明の詳細な説明】
【技術分野】
【０００１】
本発明は、遮光構造を具備するＬＥＤ電球に関する。
【背景技術】
【０００２】
従来の遮光構造を具備するＬＥＤ電球では、ＬＥＤ電球の頂部に検知装置を設置させ、ＬＥＤ電球は検知装置により人体或いは光を検知させ、人体が検知装置の検知範囲内に進入すると、ＬＥＤ電球が点灯する。これらの技術は例えば特許文献１の検知機能を具備する発光装置及び特許文献２の節電の発光ダイオードが幅広く知られている。
【先行技術文献】
【特許文献】
【０００３】
【特許文献１】中国特許出願公開第２００８１００９７９２６．１号明細書
【特許文献２】中国特許出願公開第０２１０２０７５．２号明細書
【発明の概要】
【発明が解決しようとする課題】
【０００４】
しかしながら、前述した従来の技術では、ＬＥＤ電球の点灯後、ＬＥＤ電球から発射された光は検知装置に照射されるか、透光マスクを経て反射され屈折した後に検知装置に照射され、検知装置に受光されて検知装置の検知に干渉し、検知装置を誤作動させるといった問題があった。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものである。上記課題解決のため、本発明は、遮光構造を具備するＬＥＤ電球を提供することを主目的とする。
【０００７】
つまり、ＬＥＤ電球から発射された光が透光マスクを経て反射され、屈折後に検知装置に照射されるのを防止し、検知装置の誤作動を回避することで、ＬＥＤ電球が検知する精度及び感度が向上する。
【課題を解決するための手段】
【０００８】
上記課題を解決し、目的を達成するために、本発明に係る遮光構造を具備するＬＥＤ電球は、電球ケース本体（１）、透光マスク（２）、検知装置（３）、遮光筒（４）及び灯光シールド部材（８）からなり、透光マスク（２）は電球ケース本体（１）の頂部に固定され、遮光筒（４）の下端は電球ケース本体（１）に固定され、遮光筒（４）の上端は上向きに透光マスク（２）まで延在し、検知装置（３）は遮光筒中央部の内腔に設置され、遮光筒（４）中央部の内腔に設置された灯光シールド部材（８）をさらに備え、灯光シールド部材（８）の周囲に、透光マスク（２）から遮光筒（４）内に屈折した光を遮断するための遮断部（９）が設けられ、検知装置（３）が灯光シールド部材（８）の中心部に設置されたことを特徴とする。
【０００９】
請求項１に記載の遮光構造を具備するＬＥＤ電球は、前記灯光シールド部材は遮光筒の中央上部に嵌設され、遮断部の上端の周縁は遮光筒の上端の周縁より高いか同等か、又は低いことを特徴とする。
【００１０】
請求項２に記載の遮光構造を具備するＬＥＤ電球は、前記灯光シールド部材の中心部は中空部として設けられ、中空部は円形状の面となっており、中空部の上端の幅は下端の幅より大きく、中空部の幅は上端から下端へ漸次収縮して小さくなっていることを特徴とする。
【００１１】
請求項３に記載の遮光構造を具備するＬＥＤ電球は、前記中空部の横方向断面において、円形状の面の内周縁のラインと垂直線との夾角は透光マスクから遮光筒内に屈折した光と垂直線との夾角より大きいことを特徴とする。
【００１２】
請求項４に記載の遮光構造を具備するＬＥＤ電球は、前記検知装置は中空部の底部に設置されたことを特徴とする。
【００１３】
請求項１乃至４のいずれかの１項に記載の遮光構造を具備するＬＥＤ電球は、前記ＬＥＤ電球は若干のＬＥＤダイスが設けられたＬＥＤ回路基板をさらに備え、ＬＥＤ回路基板は電球ケース本体の頂部に固定され、前記遮光筒の下端は電球ケース本体に係止接続され、遮光筒の頂部は集光レンズを係止接続し、遮光筒は円筒形であることを特徴とする。
【００１４】
請求項６に記載の遮光構造を具備するＬＥＤ電球は、前記透光マスクには貫通孔が開設され、遮光筒の上端は上向きに透光マスクの貫通孔に挿入され、遮光筒の上端の周縁と透光マスクの貫通孔の上端の周縁とはフラットに揃っており、或いは遮光筒の上端の周縁は上向きに透光マスクの貫通孔の上端の周縁を超えることを特徴とする。
【００１５】
請求項７に記載の遮光構造を具備するＬＥＤ電球は、前記電球ケース本体は放熱器と口金部からなり、口金部は放熱器の下端に固定され、透光マスク、検知装置及び遮光筒はそれぞれ放熱器の頂部に固定されることを特徴とする。
【００１６】
請求項８に記載の遮光構造を具備するＬＥＤ電球は、前記検知装置は赤外線検知装置、マイクロ波検知装置、光線検知装置のうちの１つ又は２つを設けることを特徴とする。
【００１７】
本発明によれば、遮光筒と灯光シールド部材によりＬＥＤ電球から発射された光が検知装置に直接照射されるのを効果的に防止し、且つＬＥＤ電球から発射された光が透光マスクを経て反射され、屈折後に検知装置に照射されるのも効果的に防止し、ＬＥＤ電球から発射された光は検知装置に受光されずに検知装置の検知に干渉せず、検知装置は誤作動を起こさず、ＬＥＤ電球が検知する精度及び感度が向上する。
【図面の簡単な説明】
【００１８】
【図１】本発明に係る遮光構造を具備するＬＥＤ電球を説明する概略図である。
【図２】図１を示すＡ―Ａの断面図である。
【図３】本発明のＬＥＤ電球が透光マスクと集光レンズの後に隠される構造を説明する概略図である。
【図４】図３を示す分解の概略図である。
【発明を実施するための形態】
【００１９】
以下に図面を参照して、本発明を実施するための形態について、詳細に説明する。なお、本発明は、以下に説明する実施形態に限定されるものではない。
【００２０】
本発明の実施形態に係る遮光構造を具備するＬＥＤ電球は図１から図４に示す。電球ケース本体１、透光マスク２、検知装置３、及び遮光筒４からなり、透光マスク２は電球ケース本体１の頂部に固定され、遮光筒４の下端は電球ケース本体１に固定され、遮光筒４の上端は上向きに透光マスク２まで延在し、検知装置３は遮光筒４の中央部の内腔に設置される。
【００２１】
ＬＥＤ電球は、遮光筒４中央部の内腔に設置された灯光シールド部材８をさらに備え、灯光シールド部材８の周囲には、透光マスク２から遮光筒４内に屈折した光を遮断するための遮断部９が設けられ、検知装置３は灯光シールド部材８の中心部に設置される。
【００２２】
灯光シールド部材８は遮光筒４の中央上部に嵌設され、遮断部９の上端の周縁は遮光筒４の上端の周縁より高いか同等か、又は低い。
【００２３】
灯光シールド部材８の中心部は中空部１０として設けられ、中空部１０は円形状の面となっており、中空部１０の上端の幅は下端の幅より大きく、中空部１０の幅は上端から下端へ漸次収縮して小さくなっている。
【００２４】
前記中空部１０の横方向断面において、円形状の面の内周縁のラインと垂直線との夾角は、透光マスク２から遮光筒４内に屈折した光と垂直線との夾角より大きい。透光マスク２から遮光筒４内に屈折した光は全て灯光シールド部材８に照射されて、遮光筒４内には照射されず、光が検知部３に照射されるのを防止し、ＬＥＤ光が検知装置３に干渉するのを防止して、検知装置３の感度と動作の精度を高めて、検知装置３の誤動作を回避する。
【００２５】
本発明は、遮光筒４と灯光シールド部材８によりＬＥＤ電球から発射された光が検知装置３に直接照射されるのを効果的に防止し、且つＬＥＤ電球から発射された光が透光マスク２を経て反射され、屈折後に検知装置３に照射されるのも効果的に防止し、ＬＥＤ電球から発射された光は検知装置に受光されずに検知装置３の検知への干渉を回避し、検知装置３は誤作動を防止して、ＬＥＤ電球が検知する精度及び感度が向上する。
【００２６】
ＬＥＤ電球は若干のＬＥＤダイスが設けられたＬＥＤ回路基板をさらに備え、ＬＥＤ回路基板は電球ケース本体１の頂部に固定され、前記遮光筒４の下端は電球ケース本体１に係止接続され、遮光筒４の構造は単純で、組立てに便利である。
【００２７】
遮光筒４の頂部は集光レンズ５を係止接続し、遮光筒４は円筒形である。集光レンズ５と透光マスク２の曲面はマッチしており、集光レンズ５と透光マスク２の間は丸みを帯び、外形ラインが滑らかで、美しく上品である。
【００２８】
透光マスク２には貫通孔が開設され、遮光筒４の上端は上向きに透光マスク２の貫通孔に挿入される。
【００２９】
この好ましい実施形態では、遮光筒４の上端の周縁と透光マスク２の貫通孔の上端の周縁とはフラットに揃っている。遮光筒４の上の周縁は透光マスク２で屈折して遮光筒４の上端の周縁箇所に照射された光を遮断し、防止透光マスク２で屈折した光が検知装置３に照射されるのを防止する。
【００３０】
また、他の好ましい実施形態では、遮光筒４の上端の周縁は上向きに透光マスク２の貫通孔の上端の周縁を超える。遮光筒４の上の周縁は透光マスク２で屈折して遮光筒４の上端の周縁箇所に照射された光を遮断し、防止透光マスク２で屈折した光が検知装置３に照射されるのを防止する。
【００３１】
電球ケース本体１は放熱器６と口金部７からなり、口金部７は放熱器６の下端に固定され、透光マスク２、検知装置３及び遮光筒４はそれぞれ放熱器６の頂部に固定される。
【００３２】
検知装置３は中空部１０の底部に設置される。検知装置３は赤外線検知装置３、マイクロ波検知装置３、光線検知装置３のうちの１つとして設けられるが、当然ながら、検知装置３は赤外線検知装置３、マイクロ波検知装置３、光線検知装置３のうち任意に２つを組合せて設けられる。
【００３３】
以上、本発明の実施形態について図面を参照して詳述したが、具体的な構成はこの実施形態に限られるものではなく、本発明の要旨を逸脱しない範囲の設計変更等も含まれる。
【図１】
0005844893.tif 000002
【図２】
0005844893.tif 000003
【図３】
0005844893.tif 000004
【図４】
0005844893.tif 000005